(57)【要約】【課題】ユーザーにおいて使用される置き在庫製品をメーカー側において確実に把握することができる置き在庫製品の管理システムを提供する。【解決手段】メーカーからユーザーに納品される製品を特定するバーコードを製品または製品のパッケージに配設しておき、バーコードからの情報に基づいてユーザーにおいて使用される置き在庫製品の使用状況をメーカー側において把握する置き在庫製品の管理システムであって、ユーザー側に配置され製品または製品のパッケージに配設されたバーコードを読み取り、読み取ったバーコード情報を回線を介して送信する携帯端末器と、メーカー側に設置され該携帯端末器から送信されたバーコード情報に基づいてユーザー側の置き在庫製品の在庫状況を管理する情報処理装置とを備え、ユーザー側において製品を使用する際に製品または製品のパッケージに配設されたバーコードを該携帯端末器によって読み込んで送信し、情報処理装置は携帯端末器から送信されたバーコード情報に基づいて置き在庫製品の使用状況を管理する。【選択図】図１
2014065583.tif 000002
【特許請求の範囲】
【請求項１】
メーカーからユーザーに納品される製品を特定するバーコードを製品または製品のパッケージに配設しておき、該バーコードからの情報に基づいてユーザーにおいて使用される置き在庫製品の使用状況をメーカー側において把握する置き在庫製品の管理システムであって、
ユーザー側に配置され製品または製品のパッケージに配設されたバーコードを読み取り、該読み取ったバーコード情報を回線を介して送信する携帯端末器と、
メーカー側に設置され該携帯端末器から送信されたバーコード情報に基づいてユーザー側の置き在庫製品の在庫状況を管理する情報処理装置と、を備え、
ユーザー側において製品を使用する際に製品または製品のパッケージに配設されたバーコードを該携帯端末器によって読み込んで送信し、
該情報処理装置は、該携帯端末器から送信されたバーコード情報に基づいて置き在庫製品の使用状況を管理する、
ことを特徴とする置き在庫製品の管理システム。
【発明の詳細な説明】
【技術分野】
【０００１】
本発明は、ユーザーにおいて使用される置き在庫製品をメーカー側において把握するための置き在庫製品の管理システムに関する。
【背景技術】
【０００２】
半導体デバイス製造工程においては、略円板形状である半導体ウエーハの表面に格子状に配列されたストリートと呼ばれる分割予定ラインによって複数の領域が区画され、この区画された領域にＩＣ、ＬＳＩ等のデバイスを形成する。そして、半導体ウエーハをストリートに沿って切断することによりデバイスが形成された領域を分割して個々のデバイスを製造している。また、サファイア基板や炭化珪素基板の表面に窒化ガリウム系化合物半導体等が積層された光デバイスウエーハもストリートに沿って切断することにより個々の発光ダイオード、レーザーダイオード等の光デバイスに分割され、電気機器に広く利用されている。
【０００３】
また、半導体ウエーハ等のウエーハは、個々のデバイスに分割される前にその裏面を研削装置によって研削して所定の厚さに形成されている。半導体ウエーハの裏面を研削する研削装置は、ウエーハを吸引保持する保持面を有するチャックテーブルと、該チャックテーブルの保持面に吸引保持されたウエーハを研削する研削ホイールを備えた研削手段と、該研削手段をチャックテーブルの保持面に対して垂直な方向に研削送りする研削送り手段とを具備している。研削装置に装着される研削ホイールは、シリコン基板を粗研削するための粗研削用ホイール、シリコン基板を仕上げ研削するための仕上げ研削用ホイール、ガラス基板を研削するためのガラス用研削ホイール、サファイア基板を研削するためのサファイア用研削ホイール等、被加工物の素材および研削程度に対応して最適なものが用いられるため、数多くの品種が用意される。
【０００４】
また、ウエーハのストリートに沿った切断は、通常、ダイサーと呼ばれている切削装置によって行われている。この切削装置は、半導体ウエーハや光デバイスウエーハ等の被加工物を保持するチャックテーブルと、該チャックテーブルに保持された被加工物を切削するための切削手段と、チャックテーブルと切削手段とを相対的に移動せしめる切削送り手段とを具備している。切削手段は、回転スピンドルと該スピンドルに装着された切削ブレードおよび回転スピンドルを回転駆動する駆動機構を含んでいる。このような切削装置に装着される切削ブレードも上記研削ホイールと同様に切削すべき被加工物の種類に対応して数多くの品種が用意される。
【０００５】
研削ホイールや切削ブレード等の消耗品（製品）を使用するユーザーは、在庫の個数を確認して製品を発注するタイミングを計っているが、担当者による個人差があるとともに希望する納期に間に合わず、研削装置や切削装置等の加工装置の稼働が停滞するという問題がある。
【０００６】
このような問題を解消するために、ユーザー側に製品を配置販売しておき、メーカー側が定期的に置き在庫を点検することで、使用した製品の売買を清算するとともに、使用された製品を納入する管理システムが提案されている。（例えば、特許文献１参照。）
【先行技術文献】
【特許文献】
【０００７】
【特許文献１】特開２０００−７６３４３号公報
【発明の概要】
【発明が解決しようとする課題】
【０００８】
而して、上記特許文献１に記載された管理システムにおいては、メーカー側が定期的にユーザー側の置き在庫を点検しなければならないとともに、定期的な点検ではユーザー側の突発的な大量使用にメーカー側が対応できないという問題がある。
【０００９】
本発明は上記事実に鑑みてなされたものであり、その主たる技術課題は、ユーザーにおいて使用される置き在庫製品をメーカー側において確実に把握することができる置き在庫製品の管理システムを提供することにある。
【課題を解決するための手段】
【００１０】
上記主たる技術課題を解決するため、本発明によれば、メーカーからユーザーに納品される製品を特定するバーコードを製品または製品のパッケージに配設しておき、該バーコードからの情報に基づいてユーザーにおいて使用される置き在庫製品の使用状況をメーカー側において把握する置き在庫製品の管理システムであって、
ユーザー側に配置され製品または製品のパッケージに配設されたバーコードを読み取り、該読み取ったバーコード情報を回線を介して送信する携帯端末器と、
メーカー側に設置され該携帯端末器から送信されたバーコード情報に基づいてユーザー側の置き在庫製品の在庫状況を管理する情報処理装置と、を備え、
ユーザー側において製品を使用する際に製品または製品のパッケージに配設されたバーコードを該携帯端末器によって読み込んで送信し、
該情報処理装置は、該携帯端末器から送信されたバーコード情報に基づいて置き在庫製品の使用状況を管理する、
ことを特徴とする置き在庫製品の管理システムが提供される。
【発明の効果】
【００１１】
本発明による置き在庫製品の管理システムにおいては、ユーザー側において製品を使用する際に製品または製品のパッケージに配設されたバーコードを携帯端末器によって読み込んで送信し、メーカー側に設置された情報処理装置は携帯端末器から送信されたバーコード情報に基づいて製品の使用数を管理するので、ユーザーが製品を使用するタイミングでメーカー側は置き在庫製品の使用状況が把握できる。従って、メーカー側では定期的にユーザー側の置き在庫製品を点検する手間が省けるとともに、定期的な点検では対応できない突発的な大量使用に柔軟に対応することができる。
【図面の簡単な説明】
【００１２】
【図１】本発明による置き在庫製品の管理システムのブロック構成図。
【図２】図１に示す置き在庫製品の管理システムにおいて使用する情報処理装置の表示手段に表示される置き在庫製品使用状況表を示す図。
【図３】図１に示す置き在庫製品の管理システムにおいて使用する情報処理装置の表示手段に表示される置き在庫製品納品状況表を示す図。
【発明を実施するための形態】
【００１３】
以下、本発明による置き在庫製品の管理システムについて、添付図面を参照して更に詳細に説明する。
【００１４】
図１には、本発明による置き在庫製品の管理システムのブロック構成図が示されている。
図１に示す置き在庫製品の管理システムは、ユーザー側において使用される置き在庫製品の使用状況をメーカー側において把握するための管理システムである。即ち、図１に示す実施形態においては、ユーザー側（例えばT社）はA製品、B製品、C製品、D製品をそれぞれ設定された在庫数の置き在庫をもって稼働している。このようにユーザー側が置き在庫するA製品、B製品、C製品、D製品には、それぞれ製品自体または製品のパッケージに製品を特定（製品名、品種、用途等）するバーコードが配設されている（バーコード配設工程）。このバーコード配設工程においては、例えばD製品に示すように切削ブレード等の製品Dおよび／または製品Dを収容するパッケージPに製品Dを特定（製品名、品種、用途等）するバーコード２が配設される。また、ユーザー側には、製品または製品のパッケージに配設されたバーコード２を読み取り、読み取ったバーコード情報を回線を介して送信する携帯端末器３が配置されている。
【００１５】
一方、メーカー側には、上記携帯端末器３から回線を介して送信されたバーコード情報に基づいてユーザー側の置き在庫製品の在庫状況を管理する情報処理装置４が設置されている。この情報処理装置４には、図１に示すように中央処理手段４a、記憶手段４b、入力手段４c、表示手段４d等を具備している。なお、情報処理装置４は、各ユーザー（T社、S社、P社、F社）毎に置き在庫の製品（A製品、B製品、C製品、D製品）と在庫数量が設定された置き在庫製品表が記憶手段４bに格納されている。
【００１６】
ユーザー側において置き在庫の製品を使用する際には、使用する製品または使用する製品のパッケージに配設されたバーコード２をユーザー側のオペレータが携帯端末器３によって読み込んで送信する（使用情報送信工程）。図１に示す例においては、T社において置き在庫からD製品を使用する際にD製品を１個出庫し、D製品またはD製品のパッケージPに配設されたバーコード２をユーザー側のオペレータが携帯端末器３によって読み込んで送信する例が示されている。
【００１７】
携帯端末器３によって送信されたバーコード情報は、回線を介してメーカー側に設置された情報処理装置４に入力される。情報処理装置４は、携帯端末器３によって送信されたバーコード情報に基づいて、置き在庫の製品（A製品、B製品、C製品、D製品）の使用数を毎日集計して、図２に示すように置き在庫製品使用状況表を作成し、表示手段４dに表示して管理する。
【００１８】
メーカー側の置き在庫製品の管理担当者は、表示手段４dに表示された製品使用状況表により置き在庫の製品（A製品、B製品、C製品、D製品）毎の使用数を把握し、補充が必要な製品が発生した時点で図３に示すように置き在庫製品納品状況表を作成し、表示手段４dに表示する。そして、置き在庫製品納品状況表に作成された数量の製品をユーザーに納品する（納品工程）。
【００１９】
また、メーカー側の置き在庫製品の管理担当者は、図３に示す置き在庫製品納品状況表に基づいて、納品数量が製品ごとに設定された所定値に達した製品（図示の実施形態においてはD製品）について、製造部門に対して生産指示（図示の実施形態においてはD製品１１個）する（生産指示工程）。この生産指示に基づいて、製造部門は生産指示された製品を生産する（生産工程）。
【００２０】
更に、メーカー側の置き在庫製品の管理担当者は、月末に入力手段４cから当該月の置き在庫の製品（A製品、B製品、C製品、D製品）の使用数の集計を指示する。この使用数集計の指示に基づいて、メーカー側の情報処理装置４は当該月の置き在庫の製品（A製品、B製品、C製品、D製品）の使用数を集計し、上記図２に示す置き在庫製品使用状況表の月末欄に使用数を記載して表示手段４dに表示する。メーカー側の置き在庫製品の管理担当者は、表示手段４dに表示された当該月の置き在庫の製品（A製品、B製品、C製品、D製品）の使用数に基づいて、ユーザーに請求書を発行する(請求書発行工程)。
【００２１】
以上のように、置き在庫製品の管理システムにおいては、ユーザー側において製品を使用する際に製品または製品のパッケージに配設されたバーコード２を携帯端末器３によって読み込んで送信し、メーカー側に設置された情報処理装置４は携帯端末器３から送信されたバーコード情報に基づいて置き在庫製品の使用状況を表示手段に表示するので、ユーザーが製品を使用するタイミングでメーカー側は置き在庫製品の使用状況が把握できる。従って、メーカー側では定期的にユーザー側の置き在庫製品を点検する手間が省けるとともに、定期的な点検では対応できない突発的な大量使用に柔軟に対応することができる。
【符号の説明】
【００２２】
２：バーコード
３：携帯端末器
４：情報処理装置
４a：中央処理手段
４b：記憶手段
４b：入力手段
４d：表示手段
【図１】
2014065583.tif 000003
【図２】
2014065583.tif 000004
【図３】
2014065583.tif 000005